(57)【要約】【課題】極力スタンドの置く場所を取ることなく、ディスクドライブ本体に対するスタンドの取り付けを容易にすることができるディスクドライブ装置及びスタンドを提供すること。【解決手段】スタンド３にフック部材２５や係合片２３等を設けることで、ドライブ本体２の保持状態が安定するのでスタンド３の幅を極力小さくしてスリム化させることができ、スタンド３の接地面積を小さくすることができる。また、スタンド３のフック部材２５がドライブ本体２のフック溝９に対し遊びがある状態でフック部材２５を掛合させた上で、ガイド溝８にガイド片２４を係合させて位置合わせを行いつつ、係合溝７に係合片２３を係合させる。これにより、より簡単に係合溝７に係合片２３を係合させることができる。【選択図】  図８
2004335037.tif 000002
【特許請求の範囲】
【請求項１】
正面に設けられたディスクの挿入口と、背面に設けられたフック溝と、底面に設けられた係合溝とを有するディスクドライブ本体と、
前記フック溝に対し遊びがある状態で掛合するフック部材と、前記係合溝に係合する係合片とを有し、前記ディスクドライブ本体を着脱可能に保持するスタンドと
を具備することを特徴とするディスクドライブ装置。
【請求項２】
請求項１に記載のディスクドライブ装置であって、
前記ディスクドライブ本体は、前記フック溝と前記係合溝との間であって前記底面に設けられたガイド溝を有し、
前記スタンドは、前記ガイド溝に係合するガイド片を有することを特徴とするディスクドライブ装置。
【請求項３】
請求項２に記載のディスクドライブ装置であって、
前記係合溝は、前記係合片と係合した状態で、該係合片との間に、前記挿入口からの前記ディスクの挿入方向に第１の遊間を有することを特徴とするディスクドライブ装置。
【請求項４】
請求項３に記載のディスクドライブ装置であって、
前記ガイド溝は、前記ガイド片と係合した状態で該ガイド片との間に、前記挿入口からの前記ディスクの挿入方向に第２の遊間を有することを特徴とするディスクドライブ装置。
【請求項５】
請求項４に記載のディスクドライブ装置であって、
前記第２の遊間は前記第１の遊間より大きいことを特徴とするディスクドライブ装置。
【請求項６】
請求項１に記載のディスクドライブ装置であって、
前記係合溝は、前記底面からの深さが深くなるにしたがい、前記挿入口からの前記ディスクの挿入方向における当該係合溝の幅が広がるように設けられた切欠き部を有し、
前記係合片は、前記切欠き部に掛合する爪部を有することを特徴とするディスクドライブ装置。
【請求項７】
請求項１に記載のディスクドライブ装置であって、
前記ディスクドライブ本体は、上面に設けられた窪み部を有することを特徴とするディスクドライブ装置。
【請求項８】
請求項１に記載のディスクドライブ装置であって、
前記底面は、当該底面のほぼ中央に向かうようにテーパー状に形成された第１のテーパー部を有し、
前記スタンドは前記ディスクドライブが載置される載置面を有し、前記載置面は前記第１のテーパー部に嵌合する第２のテーパー部を有することを特徴とするディスクドライブ装置。
【請求項９】
正面にディスクの挿入口を有するディスクドライブ本体と、
前記挿入口が斜め上方に向くように前記ディスクドライブ本体を着脱可能に保持するスタンドと
を具備することを特徴とするディスクドライブ装置。
【請求項１０】
請求項９に記載のディスクドライブ装置であって、
前記ディスクドライブ本体は、背面にフック溝を有するとともに底面に係合溝を有し、
前記スタンドは、前記フック溝に対し遊びがある状態で掛合するフック部材と、前記係合溝に係合する係合片とを有することを特徴とするディスクドライブ装置。
【請求項１１】
請求項１０に記載のディスクドライブ装置であって、
前記ディスクドライブ本体は、前記フック溝と前記係合溝との間であって前記底面に設けられたガイド溝を有し、
前記スタンドは、前記ガイド溝に係合するガイド片を有することを特徴とするディスクドライブ装置。
【請求項１２】
請求項１１に記載のディスクドライブ装置であって、
前記係合溝は、前記係合片と係合した状態で該係合片との間に、前記挿入口からの前記ディスクの挿入方向に第１の遊間を有することを特徴とするディスクドライブ装置。
【請求項１３】
請求項１２に記載のディスクドライブ装置であって、
前記ガイド溝は、前記ガイド片と係合した状態で、該ガイド片との間に、前記挿入口からの前記ディスクの挿入方向に第２の遊間を有することを特徴とするディスクドライブ装置。
【請求項１４】
請求項１３に記載のディスクドライブ装置であって、
前記第２の遊間は前記第１の遊間より大きいことを特徴とするディスクドライブ装置。
【請求項１５】
請求項１０に記載のディスクドライブ装置であって、
前記係合溝は、前記底面からの深さが深くなるにしたがい、前記挿入口からの前記ディスクの挿入方向における当該係合溝の幅が広がるように設けられた切欠き部を有し、
前記係合片は、前記切欠き部に掛合する爪部を有することを特徴とするディスクドライブ装置。
【請求項１６】
請求項１０に記載のディスクドライブ装置であって、
前記ディスクドライブ本体は、上面に設けられた窪み部を有することを特徴とするディスクドライブ装置。
【請求項１７】
請求項１０に記載のディスクドライブ装置であって、
前記底面は、当該底面のほぼ中央に向かうようにテーパー状に形成された第１のテーパー部を有し、
前記スタンドは前記ディスクドライブが載置される載置面を有し、前記載置面は前記第１のテーパー部に嵌合する第２のテーパー部を有することを特徴とするディスクドライブ装置。
【請求項１８】
正面にディスクの挿入口を有するディスクドライブ本体を着脱可能に保持するスタンドであって、
前記ディスクドライブ本体の背面に設けられたフック溝に対し遊びがある状態で掛合するフック部材と、
前記ディスクドライブ本体の底面に設けられた係合溝に係合する係合片と
を具備することを特徴とするスタンド。
【請求項１９】
ベース部と、
前記ベース部上に設けられ、正面にディスクの挿入口を有するディスクドライブ本体を、前記挿入口が斜め上方に向くように載置させる載置部と
を具備することを特徴とするスタンド。
【発明の詳細な説明】
【０００１】
【発明の属する技術分野】
本発明は、フロッピー（登録商標）ディスクドライブやＣＤ−ＲＯＭドライブ等のディスクドライブ装置及びディスクドライブ装置用のスタンドに関する。
【０００２】
【従来の技術】
従来から、ＰＣ（Ｐｅｒｓｏｎａｌ  Ｃｏｍｐｕｔｅｒ）本体、外付けのフロッピーディスクドライブやＣＤ−ＲＯＭドライブ等の本体を縦置きにするためのスタンドがある。例えば、２つのスタンド部品によって本体の前方側と後方側を支持するものがある（例えば、特許文献１参照。）。これは、ディスクドライブの本体が載置される載置面にゴム等の摩擦係数が高い部材を設け、スタンドに対し本体が滑ったり、離脱したりすることを防止している。しかし、このタイプのスタンドは、スタンドが２つであるため、部品数が多くなるという問題がある。
【０００３】
スタンドの部品数を減らすため、１つのスタンドで本体を保持するタイプのものがある。これは、１つのスタンドでドライブ本体を安定に保持するためドライブ本体の底面の全体を保持する。このようなタイプのスタンドは、本体をスタンドに単に載せるだけで済むようなものもあり、本体に対してスタンドの取り付けが容易である。
【０００４】
【特許文献１】
特開２０００−２５２６５５号公報（段落［００２０］等、図２）
【０００５】
【発明が解決しようとする課題】
しかしながら、そのような単一スタンドタイプのスタンドは、当該底面の全体を保持して本体を安定させるため大型となり場所を取るという問題がある。この問題を解消するため、スタンドの大きさを小さくして係合部等を設け、本体を安定させることも考えられる。しかし、この場合、スタンドを本体に取り付ける際に係合部を目視しながら取り付ける必要があり面倒である。
【０００６】
また、一般的に、フロッピーディスクドライブ等のディスクの挿入口はドライブ本体の最も小さい（狭い）面に設けられている。そのため、例えば上記特許文献１に記載された縦置き型のスタンドでは、本体がスタンドに保持された状態で挿入口（２２）が横に向くように位置する。したがって、利用者にとっては、本体に対しディスクの出し入れがしづらいという問題がある。
【０００７】
以上のような事情に鑑み、本発明の目的は、極力スタンドの置く場所を取ることなく、ディスクドライブ本体に対するスタンドの取り付けを容易にすることができるディスクドライブ装置及びスタンドを提供することにある。
【０００８】
本発明の別の目的は、ディスクの出し入れをスムーズに行うことができるディスクドライブ装置及びスタンドを提供することにある。
【０００９】
【課題を解決するための手段】
上記目的を達成するため、本発明に係るディスクドライブ装置は、正面に設けられたディスクの挿入口と、背面に設けられたフック溝と、底面に設けられた係合溝とを有するディスクドライブ本体と、前記フック溝に対し遊びがある状態で掛合するフック部材と、前記係合溝に係合する係合片とを有し、前記ディスクドライブ本体を着脱可能に保持するスタンドとを具備する。
【００１０】
本発明では、フック部材や係合片を設けることにより、スタンドに保持されたディスクドライブ本体を安定させることができ、スタンド幅や大きさを極力小さく、スリム化してスタンドの接地面積を小さくすることができる。またこれによりディスクドライブ装置の外観も良好となる。さらに、本発明では、スタンドのフック部材がディスクドライブ本体のフック溝に対し遊びがある状態でフック部材を掛合させた上で、係合溝に係合片を係合させて、スタンドをディスクドライブ本体に取り付けることができる。つまり、フック部材をディスクドライブ本体に掛け、スタンドがディスクドライブ本体に対しある程度自由に動かせる状態で、係合溝に係合片を係合させることができるので、スタンドの取り付けが容易となる。
【００１１】
本発明において、掛合とは、フック状のものが溝または穴状のものに引っ掛かった状態をいう。また、係合とは、形状が限定されない係合片及び係合溝が互いに係り合う状態をいう。以下、同様である。
【００１２】
本発明の一の形態では、前記ディスクドライブ本体は、前記フック溝と前記係合溝との間であって前記底面に設けられたガイド溝を有し、前記スタンドは、前記ガイド溝に係合するガイド片を有する。本発明では、スタンドをフック部材でディスクドライブ本体に係合させた上、ガイド溝にガイド片を係合させることにより位置合わせを行いつつ、係合溝に係合片を係合させる。これにより、より簡単に係合溝に係合片を係合させることができる。またこれにより、係合溝や係合片の位置を目視せずとも容易にスタンドをディスクドライブ本体に取り付けることができる。
【００１３】
本発明の一の形態では、前記係合溝は、前記係合片と係合した状態で、該係合片との間に、前記挿入口からの前記ディスクの挿入方向に第１の遊間を有する。遊間とは遊びの間隙である。このように第１の遊間を設けることで、係合溝に係合片を係合させやすくなり、スタンドをより簡単に取り付けることができる。
【００１４】
本発明の一の形態では、前記ガイド溝は、前記ガイド片と係合した状態で該ガイド片との間に、前記挿入口からの前記ディスクの挿入方向に第２の遊間を有する。このように第２の遊間を設けることで、ガイド溝にガイド片を係合させやすくなり、スタンドをより簡単に取り付けることができる。
【００１５】
本発明の一の形態では、前記第２の遊間は前記第１の遊間より大きい。このように、フック溝、ガイド溝、係合溝に対し順にスタンドを係合させていく場合に、スタンドの動きの自由度を順に低くしてくことで、確実かつ簡単にスタンドを取り付けることができるとともに、スタンドと本体とのガタをなくすことができる。
【００１６】
本発明の一の形態では、前記係合溝は、前記底面からの深さが深くなるにしたがい、前記挿入口からの前記ディスクの挿入方向における当該係合溝の幅が広がるように設けられた切欠き部を有し、前記係合片は、前記切欠き部に掛合する爪部を有する。このような切欠き部及び爪部を形成することで、ディスクドライブ本体の安定度を高めることができる。
【００１７】
本発明の一の形態では、前記ディスクドライブ本体は、上面に設けられた窪み部を有する。これにより、スタンドの取り付けが容易となる。特に、例えば窪み部を、ディスクドライブ本体の背面側より正面側に近い部位に設けるようにすればより効果的である。例えば、フック溝、ガイド溝、係合溝に対し順にスタンドを取り付けていく場合に、ディスクドライブ本体を背面側から下ろしていくように取り付けることができるからである。
【００１８】
本発明の一の形態では、前記底面は、当該底面のほぼ中央に向かうようにテーパー状に形成された第１のテーパー部を有し、前記スタンドは前記ディスクドライブが載置される載置面を有し、前記載置面は前記第１のテーパー部に嵌合する第２のテーパー部を有する。これにより、ディスクドライブ本体の安定度を向上させることができる。
【００１９】
本発明において、底面のほぼ中央とは、底面のほぼ中心線であてもよいし、または底面のほぼ中心点であってもよい。ここでいう中心線とは、ディスクドライブ本体の正面から背面に向かう中心線であってもよいし、またはその中心線に直交する線であってもよい。また、ディスクドライブ本体の第１のテーパー部は下に向かうように、つまりスタンド側に突き出して形成されていればよい。あるいはこれに限らず、第１のテーパー部は上に向かうように、つまり底面が窪むように形成されていてもよい。スタンドの載置面の第２のテーパー部は本体側の第１のテーパー部に嵌合するように形成すればよい。つまり、例えば第２のテーパー部も下に向かうように窪むように形成されていてもよいし、または、ディスクドライブ本体側に向かうように突き出して形成されてもよい。
【００２０】
本発明の他のディスクドライブ装置は、正面にディスクの挿入口を有するディスクドライブ本体と、前記挿入口が斜め上方に向くように前記ディスクドライブ本体を着脱可能に保持するスタンドとを具備する。
【００２１】
本発明では、スタンドが、ディスクの挿入口が斜め上方に向くように保持するため、例えば利用者の目線に挿入口が極力直面するようになり、ディスクの出し入れを容易に行うことができる。また、スタンドに保持された本体は、その背面が正面より下になる。したがって、ディスクドライブ本体に対しディスクの出し入れを行うとき例えば背面の下方に力が加わるため、本体が背面側に滑ってしまうことを極力防止することができる。
【００２２】
本発明の一の形態では、前記ディスクドライブ本体は、背面にフック溝を有するとともに底面に係合溝を有し、前記スタンドは、前記フック溝に対し遊びがある状態で掛合するフック部材と、前記係合溝に係合する係合片とを有する。本発明では、フック部材や係合片を設けることにより、スタンドに保持されたディスクドライブ本体を安定させることができ、スタンド幅や大きさを極力小さく、スリム化してスタンドの接地面積を小さくすることができる。またこれにより外観上も良好となる。さらに、本発明では、スタンドのフック部材がディスクドライブ本体のフック溝に対し遊びがある状態で係合させた上で、係合溝に係合片をさせて、スタンドをディスクドライブ本体に取り付けることができる。つまり、フック部材をディスクドライブ本体に掛け、スタンドがディスクドライブ本体に対し自由に動かせる状態で、係合溝に係合片を係合させることができるので、スタンドの取り付けが容易となる。
【００２３】
本発明の一の形態では、前記ディスクドライブ本体は、前記フック溝と前記係合溝との間であって前記底面に設けられたガイド溝を有し、前記スタンドは、前記ガイド溝に係合するガイド片を有する。本発明では、スタンドをフック部材でディスクドライブ本体に係合させた上、ガイド溝にガイド片を係合させて位置合わせを行いつつ係合溝に係合片を係合させる。これにより、より簡単に係合溝に係合片を係合させることができる。またこれにより、係合溝や係合片の位置を目視せずとも容易にスタンドをディスクドライブ本体に取り付けることができる。特に、本発明ではそのように背面側から正面側へ順にスタンドに取り付ける場合に、最初に背面側へ力が加わる。したがって、本発明では、背面に力が加わっても、斜めに保持されるドライブ本体は背面の下方に向かって力が働き、本体が滑ることを防止することができる。
【００２４】
本発明の一の形態では、前記係合溝は、前記底面からの深さが深くなるにしたがい、前記挿入口からの前記ディスクの挿入方向における当該係合溝の幅が広がるように設けられた切欠き部を有し、前記係合片は、前記切欠き部に掛合する爪部を有する。このような切欠き部及び爪部を形成することで、ディスクドライブ本体の安定度を高めることができる。また、本発明では、ディスクドライブ本体がスタンドに保持されるとき、本体は背面側へ向けて自重がかかる。そのため、例えば切欠き部の切欠き方向及び爪部の突出方向を本体正面側へ向かうようにすれば、爪部と切欠き部との掛合が解除されにくくなり、本体の安定度を高めることができる。
【００２５】
本発明の一の形態では、前記ディスクドライブ本体は、上面に設けられた窪み部を有する。これにより、スタンドの取り付けが容易となる。特に、例えば窪み部を、ディスクドライブ本体の背面側より正面側に近い部位に設けるようにすればより効果的である。本発明では、ディスクドライブ本体がスタンドに保持されるとき、本体は背面側へ向けて自重がかかる。そのため、本体の背面側より正面側に近い側を把持しながら、例えばフック溝、ガイド溝、係合溝に対し順にスタンドを取り付けていくことができ、容易にスタンドを取り付けることができる。
【００２６】
本発明に係るスタンドは、正面にディスクの挿入口を有するディスクドライブ本体を着脱可能に保持するスタンドであって、前記ディスクドライブ本体の背面に設けられたフック溝に対し遊びがある状態で掛合するフック部材と、前記ディスクドライブ本体の底面に設けられた係合溝に係合する係合片とを具備する。
【００２７】
本発明では、フック部材や係合片を設けることにより、スタンドに保持されたディスクドライブ本体を安定させることができ、スタンド幅や大きさを極力小さく、スリム化してスタンドの接地面積を小さくすることができる。またこれにより外観上も良好となる。さらに、本発明では、スタンドのフック部材がディスクドライブ本体のフック溝に対し遊びがある状態で係合させた上で、係合溝に係合片をさせて、スタンドをディスクドライブ本体に取り付けることができる。つまり、フック部材をディスクドライブ本体に掛け、スタンドがディスクドライブ本体に対し自由に動かせる状態で、係合溝に係合片を係合させることができるので、スタンドの取り付けが容易となる。
【００２８】
本発明の他のスタンドは、ベース部と、前記ベース部上に設けられ、正面にディスクの挿入口を有するディスクドライブ本体を、前記挿入口が斜め上方に向くように載置させる載置部とを具備する。
【００２９】
本発明によれば、ディスクの挿入口が斜め上方に向くように保持するため、例えば利用者の目線に挿入口を直面させることができる。したがってディスクの出し入れを容易に行うことができる。また、ディスクドライブ本体に対しディスクの出し入れを行うとき、例えば正面に対して反対側にある背面下の方に力が加わるため、本体が背面側に滑ってしまうことを防止することができる。
【００３０】
【発明の実施の形態】
以下、本発明の実施の形態を図面に基づき説明する。
【００３１】
図１は本発明の一実施形態に係るフロッピーディスクドライブ（以下、ＦＤドライブ）装置の斜視図である。図２は、図１に示すＦＤドライブ本体２を示す斜視図ある。ＦＤドライブ装置１は、スタンドＦＤドライブ本体２と、スタンド３とで構成されている。スタンド３は着脱可能にドライブ本体２を保持する。以下、説明の便宜上、ドライブ本体２の正面を２ａ、背面を２ｂ、底面を２ｃ、上面を２ｄ、側面を２ｅ及び２ｆとして図示する。
【００３２】
ディスクドライブ本体２は例えば左右２つの筐体１２ａ及び１２ｂを有しており、これら２つが組み合わされて１つの筐体をなしている。しかし、これに限られず、例えば３つ以上の筐体が組み合わされて１つの筐体をなしていてももちろんよい。筐体１２ａ及び筐体１２ｂは、例えば本体２の底面２ｃにおいてそれぞれ下に向かうように、すなわちスタンド３に向かうようにテーパー状に形成されている。ドライブ本体２の正面２ａには挿入口４が設けられ、図示しないフロッピーディスクが挿入口４から挿入可能となっている。また、ドライブ本体２の正面２ａにはイジェクトボタン５が設けられている。このイジェクトボタン５を押すことにより、ドライブ本体２に装着されていたフロッピーディスクが取り出される。符号６で示す部位は例えばＬＥＤ（Ｌｉｇｈｔ  Ｅｍｉｔｔｉｎｇ  Ｄｉｏｄｅ）ランプである。ＬＥＤランプ６はドライブ本体２がフロッピーディスクにアクセスしたときや、あるいはドライブ本体２に電源が投入されたとき等に点灯または点滅等する。
【００３３】
図３はドライブ本体２の背面図である。背面２ｂには例えば図示しないＵＳＢ（Ｕｎｉｖｅｒｓａｌ  Ｓｅｒｉａｌ  Ｂｕｓ）ケーブルが接続可能なポート１０が設けられている。このケーブルによりドライブ本体２をＰＣ等に接続可能となる。また、背面２ｂから底面２ｃにかけて、スタンド３に設けられたフック部材２５（図４参照）が掛合する（引っ掛かる）フック溝９が形成されている。なお、ケーブルはＵＳＢに限られるものではない。
【００３４】
図２に示すように、ドライブ本体２の底面２ｃには、スタンド３に設けられた係合片２３、ガイド片２４にそれぞれ係合する係合溝７、ガイド溝８が形成されている。また、ドライブ本体２の上面２ｄ及び底面２ｃには窪み部１１がそれぞれ形成されている。利用者はこの窪み部１１を指で押さえながら、ドライブ本体２をスタンド３に着脱できるようになっている。窪み部１１には突起状の部材１１ａが複数設けられている。このような突起状の部材１１ａを設けることで、指とドライブ本体２との滑りを防止できる。
【００３５】
このような窪み部１１は、上面２ｄのみに設けるようにしてもよい。ドライブ本体２をスタンド３に対して着脱するときは、例えば側面２ｅ及び２ｆをつかむとともに人指し指で窪み部１１を押さえることがほとんどだからである。
【００３６】
図４に示すように、スタンド３は例えばベース部２１上に載置部２２が設けられて構成されている。図５（ａ）はスタンド３の側面図であり、図５（ｂ）はその正面図である。ベース部２１は地面３０に当接し、例えば後方側（図５（ａ）中右側）から前方側（図５（ａ）中左側）に向かうにしたがい、そのＸ方向（図５（ｂ）参照）の幅が広くなるように形成されている。載置部２２は後方部２２ａと前方部２２ｂとで構成され、前方部２２ｂは後方部２２ａよりそのＸ方向の幅が狭く形成されている。図５（ａ）に示すように載置部２２は後方部２２ａから前方部２２ｂにかけて上方に向かうように斜めに形成されている。この角度αは例えば５°〜１０°とされているが、これに限定されるものではない。載置部２２はその上面に載置面２２ｃ、２２ｄが設けられている。図５（ｂ）に示すように、載置面２２ｃ、２２ｄはそれぞれ中央Ｃに向かうにしたがい沈むようにテーパー状に形成されている。この角度βは例えば５°〜１０°とされているが、これに限定されるものではない。載置面２２ｃ及び２２ｄにドライブ本体２のテーパー状の底面２ｃが嵌合するようになっている。したがって、本体２の底面２ｃのテーパー角も５°〜１０°とすればよい。
【００３７】
このように本実施の形態では、載置部２２が後方部２２ａから前方部２２ｂにかけて上方に向かうように斜めに形成されているので、ドライブ本体２のディスク挿入口４が斜め上方に向くように、ドライブ本体２がスタンドに保持される。これにより、例えば利用者の目線に挿入口４が極力直面するようになり、ディスクの出し入れを容易に行うことができる。また、ＬＥＤランプ６の点灯、または点滅状態を容易に確認することができる。
【００３８】
スタンド３に保持されたドライブ本体２は、その背面２ｂが正面２ａより下になる。したがって、ドライブ本体２に対しディスクの出し入れを行うとき背面２ｂの下方に力が加わるため、本体２が背面２ｂ側に向かって滑ってしまうことを防止することができる。すなわち、地面３０に対しほぼ角度αの方向に力が加わるため、本体２の滑りを極力防止できる。これによりスムーズにディスクの出し入れを行うことができる。
【００３９】
またこのとき、本体２の窪み部１１を指で押さえながら、ディスクを出し入れすることができるので、窪み部１１を設ける効果は大きい。特に、イジェクトボタン５を押して本体２からディスクを取り出す際は、窪み部１１を人指し指で押さえながら親指でイジェクトボタン５を押すことができる。
【００４０】
一方、上記特許文献１に記載されたスタンドでは、ディスク挿入時の滑り防止用のゴム等の部品を取り付けているが、これでは部品数が多くコストが嵩む。本実施の形態では、ドライブ本体２を斜めに保持するだけで、ドライブ本体２の滑りを極力少なくし、スムーズにディスクの出し入れを行うことができる。
【００４１】
本実施の形態では、底面２ｃをテーパー状としてスタンド３の載置面２２ａ、２２ｂの形状に合わせるようにしたので、スタンド３がドライブ本体２を保持した状態を安定に保つことができる。
【００４２】
本実施の形態では、係合溝７及びガイド溝８が一方の筐体、例えば筐体１２ｂのみに設けられている。これにより、もう一方の筐体１２ａを製造する際の設計の自由度が向上する。このような構成に合わせて、スタンド３の係合片２３及び係合溝２４も図５（ｂ）に示すように中央Ｃからずれて設けられている。
【００４３】
図６はスタンド３がドライブ本体２に取り付けられた状態を示し、係合片２３等を示す拡大側面図である。図に示すように、フック溝９にフック部材２５が掛合し、係合溝７及びガイド溝８にそれぞれ係合片２３及びガイド片２４が係合している。フック部材２５は、フック溝９内の凹部９ａにフック部材２５の頭部２５ａが掛合する構造となっている。係合片２３はその上部に図中Ｙ方向に鋭角に形成された爪部２３ａが設けられている。また、この爪部２３ａの形状に対応するように、係合溝７も図中Ｙ方向に鋭角な切欠き部７ａが設けられている。これに対しガイド片２４やガイド溝はそのような爪部や切欠き部等は形成されていない。
【００４４】
係合溝７と係合片２３との間、ガイド溝８とガイド片２４との間にはそれぞれ遊びが設けられている。例えば、係合片２３の最も長い部分の長さと係合溝７の最も短い部位の長さとの差を第１の遊間としｔとする。ガイド片２４の最も長い部位の長さとガイド溝８の最も短い部位の長さとの差を第２の遊間としｕとする。この場合、ｕ＞ｔとされている。具体的には、例えばｔ＝０．０５〜０．３ｍｍとされ、ｕ＝０．４〜１．０ｍｍとされている。また、フック溝９とフック部材２５との間にも遊びが設けられている。図７はフック溝９にフック部材２５が掛合した状態を背面側から示す図であり、例えば遊間ｓは図中Ｘ方向で０．１〜０．３ｍｍとされている。また、図中Ｚ方向の遊間ｖは３ｍｍ〜４ｍｍとされている。
【００４５】
図８はドライブ本体２にスタンド３を取り付ける動作を説明するための図である。例えばスタンド３が地面に置いてある状態で、利用者が本体２の側面２ｅ、２ｆを把持し、フック溝９にフック部材２５を掛合させる。この状態では、フック溝９とフック部材２５との間には、上述したような遊間ｓ、ｖが設けられているので、本体２をスタンドに対しフック溝９を支点として自由に動かすことができる。ここで、図６に示すようにフック溝９のＹ方向に沿った遊びは設ける必要はない。フック溝９は本体２の背面２ｂで開口されて設けられているため、本体２はＹ方向に自由に動かせるからである。しかしこのような構成に限られず、フック溝９Ｙ方向の遊びを設けるようにしても構わない。
【００４６】
このようにスタンド３のフック部材２５がドライブ本体２のフック溝９に対し遊びがある状態でフック部材２５を掛合させた上で、ガイド溝８にガイド片２４を係合させて位置合わせを行いつつ、係合溝７に係合片２３を係合させる。これにより、より簡単に係合溝７に係合片２３を係合させることができる。またガイド片２４及びガイド溝８を設けることで、係合溝７や係合片２３の位置を目視せずとも容易にスタンド３をドライブ本体２に取り付けることができる。
【００４７】
特に、本実施の形態では、ドライブ本体２をその背面２ｂ側から正面２ａ側へ順にスタンド３に取り付ける場合に、最初に背面２ｂ側へ力が加わる。したがって、背面２ｂに力が加わっても、斜めに保持されるドライブ本体２は背面２ｂの下方に向かって力が働き、ドライブ本体２が滑ることを防止することができる。
【００４８】
スタンド３を本体２に取り付ける際、窪み部１１を指で押さえながら行うようにすることもできる。これによりさらに容易に取り付けが行える。
【００４９】
本実施の形態では、このようにフック部材２５や係合片２３等を設けることで、本体２の保持状態が安定するので図５（ｂ）に示すように例えばＸ方向の幅を極力小さくしてスリム化させることができ、スタンド３の接地面積を小さくすることができる。また、ＦＤドライブ装置１の外観上も良好となる。
【００５０】
本実施の形態では、上述したように、第２の遊間ｕを第１の遊間ｔより大きくした。これにより、フック溝９、ガイド溝８、係合溝７に対し順にフック部材２５、ガイド片２４、係合片２３を係合させていく場合に、スタンドの動きの自由度を順に低くしてくことができる。したがって、確実かつ簡単にスタンドを取り付けることができるとともに、スタンド３と本体２とのガタをなくすことができる。
【００５１】
本実施の形態では、係合片２３に爪部２３ａを設け、係合溝７に切欠き部７ａを設けたので、スタンド３に保持されたドライブ本体２の安定度を高めることができる。
【００５２】
本発明は以上説明した実施の形態には限定されるものではなく、種々の変形が可能である。
【００５３】
例えば、図６で示す例において、係合片２３の爪部２３ａ及び係合溝７の切欠き部７ａをフック部材２５が配置される側に設ける例を示した。しかし、フック部材２５と反対側、すなわち正面２ａ側に爪部及び切欠き部を設けるようにしてもよい。ドライブ本体２がスタンド３に保持されるとき、背面２ｂ側に自重がかかるので、爪部と切欠き部との掛合が解除されにくくなるからである。これにより、ドライブ本体２の安定度を高めることができる。
【００５４】
また、図６で示す例において爪部２３ａや切欠き部７ａ等を、ガイド片２４やガイド溝８にも設けるようにしてもよい。
【００５５】
上記実施の形態ではＦＤドライブ装置について説明したが、これに限らず、例えばＣＤ−ＲＯＭドライブ、ＤＶＤ（Ｄｉｇｉｔａｌ  Ｖｅｒｓａｔｉｌｅ  Ｄｉｓｋ）ドライブ、ＭＯ（Ｍａｇｎｅｔｏ  Ｏｐｔｉｃａｌ  ｄｉｓｋ）ドライブ等、外付けのディスクドライブであれば何でもよい。
【００５６】
【発明の効果】
以上説明したように、本発明によれば、極力スタンドの置く場所を取ることなく、ディスクドライブ本体に対するスタンドの取り付けを容易にすることができる。また、ディスクの出し入れをスムーズに行うことができる。
【図面の簡単な説明】
【図１】ＦＤドライブ装置を示す斜視図である。
【図２】図１に示すＦＤドライブ本体を示す斜視図ある。
【図３】ドライブ本体を示す背面図である。
【図４】スタンドを示す斜視図である。
【図５】（ａ）はスタンドの側面図であり、（ｂ）はその正面図である。
【図６】スタンドがドライブ本体に取り付けられた状態を示す拡大側面図である。
【図７】フック溝にフック部材が掛合した状態を背面側から示す図である。
【図８】ドライブ本体にスタンドを取り付ける動作を説明するための図である。
【符号の説明】
ｓ、ｖ…遊間
ｔ…第１の遊間
ｕ…第２の遊間
１…ＦＤドライブ装置
２…ディスクドライブ本体
２ｃ…底面
２ａ…正面
２ｂ…背面
２ｄ…上面
３…スタンド
４…挿入口
７…係合溝
７ａ…切欠き部
８…ガイド溝
９…フック溝
２１…ベース部
２２…載置部
２３…係合片
２３ａ…爪部
２４…ガイド片
２５…フック部材
【図１】
2004335037.tif 000003
【図２】
2004335037.tif 000004
【図３】
2004335037.tif 000005
【図４】
2004335037.tif 000006
【図５】
2004335037.tif 000007
【図６】
2004335037.tif 000008
【図７】
2004335037.tif 000009
【図８】
2004335037.tif 000010